(57)【要約】【課題】ネジ止による取付部分をなるべく少なくしつつ、カバーを容易に取付けることができるようにすること。【解決手段】樹脂カバー７０に設けられた第１の係合部８０及び第２の係合部９０と、筐体本体部４０に設けられた第１の被係合部４６と第２の被係合部４７とを備える。第１の係合部８０と第１の被係合部４６とを第１の方向Ｐに沿って移動自在に係合させつつ、樹脂カバー７０を第１の方向Ｐに沿って移動させることで、第２の係合部９０と第２の被係合部４７とを係合させる。【選択図】図２
2008098895.tif 000002
【特許請求の範囲】
【請求項１】
カバーを機器本体に取付けるカバーの取付部構造であって、
前記カバーに設けられた第１の係合部及び第２の係合部と、
前記機器本体に設けられた第１の被係合部と第２の被係合部と、
を備え、
前記第１の係合部と前記第１の被係合部とが第１の方向に沿って移動自在に係合すると共に、
前記第１の係合部と前記第１の被係合部とを係合させつつ前記カバーを前記第１の方向に沿って移動させることで、前記第２の係合部と前記第２の被係合部とが係合可能に形成され、
前記第１の係合部と前記第１の被係合部とを係合させつつ前記カバーを前記第１の方向に沿って移動させて前記第２の係合部と前記第２の被係合部とを係合させることで、前記カバーが前記機器本体に取付けられることを特徴とするカバーの取付部構造。
【請求項２】
請求項１記載のカバーの取付部構造であって、
前記第１の係合部及び前記第１の被係合部は、前記カバーを前記機器本体に取付ける際に、外部から目視可能な位置に設けられており、
前記第２の係合部及び前記第２の被係合部は、前記カバーを前記機器本体に取付ける際に、外部から目視不能な位置に設けられていることを特徴とするカバーの取付部構造。
【請求項３】
請求項１又は請求項２記載のカバーの取付部構造であって、
前記第２の係合部及び前記第２の被係合部は、前記カバーの前記第１の方向に沿った移動により係合した状態で、前記第１の方向と略直交する方向でも係合することを特徴とするカバーの取付部構造。
【請求項４】
請求項１〜請求項３のいずれかに記載のカバーの取付部構造であって、
前記カバーに、前記第２の係合部の係合部分よりも前記カバーの外周よりに位置してネジ止固定部が設けられると共に、
前記機器本体に、前記ネジ止部に対応するネジ止被固定部が設けられており、
前記ネジ止固定部と前記ネジ止被固定部とがネジで固定されたことを特徴とするカバーの取付部構造。
【発明の詳細な説明】
【技術分野】
【０００１】
この発明は、画像読取装置等にカバーを取付ける技術に関する。
【背景技術】
【０００２】
画像読取装置等の機器には、その外周囲を覆うカバーが取付けられる。
【０００３】
カバーを機器本体に取付ける構造としては、ネジ止を利用したものがある。
【０００４】
また、カバーの内側に形成した係合部を、機器本体側に形成された被係合部に係合させて取付ける構造もある（特許文献２参照）。
【０００５】
【特許文献１】特開平５−１４１１４４号公報
【特許文献２】特開昭６０−８８５７号公報
【発明の開示】
【発明が解決しようとする課題】
【０００６】
しかしながら、ネジ止を利用した構造では、ネジ又はネジ締め用の孔が外部から見えてしまう。特に、機器前面及び側面のカバーについては、このようなネジ又はネジ締め用の孔が外部から見えてしまうことは、意匠上好ましくない。
【０００７】
また、カバーの内側の係合部を、機器本体側の被係合部に係合させる構成では、係合部と被係合部との全ての組合わせについて位置合わせするのが難しく、カバーの取付作業が困難となる。
【０００８】
そこで、本発明は、ネジ止による取付部分をなるべく少なくしつつ、カバーを容易に取付けることができるようにすることを目的とする。
【課題を解決するための手段】
【０００９】
上記課題を解決するため、このカバー取付部構造は、カバーを機器本体に取付けるカバーの取付部構造であって、前記カバーに設けられた第１の係合部及び第２の係合部と、前記機器本体に設けられた第１の被係合部と第２の被係合部とを備え、前記第１の係合部と前記第１の被係合部とが第１の方向に沿って移動自在に係合すると共に、前記第１の係合部と前記第１の被係合部とを係合させつつ前記カバーを前記第１の方向に沿って移動させることで、前記第２の係合部と前記第２の被係合部とが係合可能に形成され、前記第１の係合部と前記第１の被係合部とを係合させつつ前記カバーを前記第１の方向に沿って移動させて前記第２の係合部と前記第２の被係合部とを係合させることで、前記カバーが前記機器本体に取付けられたものである。
【００１０】
この場合に、前記第１の係合部及び前記第１の被係合部は、前記カバーを前記機器本体に取付ける際に、外部から目視可能な位置に設けられており、前記第２の係合部及び前記第２の被係合部は、前記カバーを前記機器本体に取付ける際に、外部から目視不能な位置に設けられていてもよい。
【００１１】
また、前記第２の係合部及び前記第２の被係合部は、前記カバーの前記第１の方向に沿った移動により係合した状態で、前記第１の方向と略直交する方向でも係合してもよい。
【００１２】
また、前記カバーに、前記第２の係合部の係合部分よりも前記カバーの外周よりに位置してネジ止固定部が設けられると共に、前記機器本体に、前記ネジ止部に対応するネジ止被固定部が設けられており、前記ネジ止固定部と前記ネジ止被固定部とがネジで固定されていてもよい。
【発明の効果】
【００１３】
このカバーの取付部構造によると、前記第１の係合部と前記第１の被係合部とを係合させた状態で、その係合の案内に従ってカバーを第１の方向に沿って移動させることで、第２の係合部と第２の被係合部とを係合させることができる。従って、ネジ止による取付部分をなるべく少なくしつつ、カバーを容易に取付けることができる。
【００１４】
また、前記第１の係合部及び前記第１の被係合部は、前記カバーを前記機器本体に取付ける際に、外部から目視可能な位置に設けられていると、前記第１の係合部と前記第１の被係合部とを目視しつつ係合させることができるので、カバーをより容易に取付けることができる。また、同時に、外部から目視不能な位置でも、前記第２の係合部と前記第２の被係合部とを係合させることができるので、カバーをしっかりと機器本体に取付けることができる。
【００１５】
また、前記第２の係合部及び前記第２の被係合部は、前記カバーの前記第１の方向に沿った移動により係合した状態で、前記第１の方向と略直交する方向でも係合すると、カバーをよりしっかりと取付けることができる。
【００１６】
また、前記ネジ止固定部と前記ネジ止被固定部とがネジで固定されているため、カバーをよりしっかりと固定することができる。また、カバーの外周部でネジ止することになるため、意匠性を損い難い。
【発明を実施するための最良の形態】
【００１７】
実施形態に係るカバーの取付部構造について説明する。本実施形態では、カバーの取付部構造を画像読取装置、より具体的には、デジタル複合機に適用した例で説明する。
【００１８】
＜１．デジタル複合機の全体構成＞
まず、デジタル複合機の全体構成について説明する。図１はデジタル複合機の全体構成を示す斜視図である。
【００１９】
このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００２０】
より具体的には、このデジタル複合機１０では画像形成機能を担う記録部２０の上方に、画像読取機能を担う読取部３０が配設されている。
【００２１】
記録部２０は、画像形成、即ち、用紙に所定の印刷処理を施して記録紙を形成するように構成されている。より具体的には、記録部２０は、少なくとも一つの給紙カセット２２の上方に、記録装置としての印刷部２４が配設された構成となっている。そして、給紙カセット２２に収容される用紙を印刷部２４へ給紙して印刷した後に、記録紙として記録紙排出トレイ２６へ排出する構成となっている。
【００２２】
読取部３０は、画像読取、即ち、原稿の情報を画像データとして読取るように構成されている。ここでは、読取部３０は、フラットベッド方式のスキャナとして原稿を読取ると共に、シートフィード方式のスキャナとして原稿を読取り可能に構成されている。
【００２３】
より具体的には、読取部３０は、記録部２０の上方に設けられた原稿読取筐体部３２の上方に、原稿搬送押え部５０が設けられた構成とされている。
【００２４】
原稿読取筐体部３２は、平面視略方形状の略筺状全体形状に形成されている。この原稿読取筐体部３２の上面には、コンタクトガラス３４及びプラテンガラス３６が設けられており（図２参照）、また、原稿読取筐体部３２内には原稿を読取るための読取要素として図示省略のキャリッジや受光部等が設けられている。
【００２５】
そして、上記プラテンガラス３６上に原稿を載置した状態で、当該原稿を上記読取要素により走査して読取りを行うように構成されている。また、後述する自動原稿搬送装置５５により原稿をコンタクトガラス３４に接触させるように搬送することで、該原稿の読取りを行うように構成されている。
【００２６】
また、この原稿読取筐体部３２の前部には、操作パネル６０が設けられている。操作パネル６０には、各種スイッチ６２及び表示パネル部６４が設けられている。各種スイッチ６２は本デジタル複合機１０に対する諸操作を受付ける。表示パネル部６４は、本デジタル複合機１０の動作状況、操作内容等を表示する表示手段として機能する。
【００２７】
原稿搬送押え部５０は、原稿押え部５０ａと、自動原稿搬送装置５５（Auto Document Feeder：ＡＤＦ）とを有している。この原稿搬送押え部５０は、上記原稿読取筐体部３２にヒンジ部を介して開閉自在に取付けられている。
【００２８】
原稿押え部５０ａは、扁平な板形状に形成されており、プラテンガラス３６上の原稿をその底面で一定位置に押える役割を果す。
【００２９】
また、自動原稿搬送装置５５は、原稿押え部５０ａの一側部に設けられており、原稿をコンタクトガラス３４に接触させるように順次搬送するように構成されている。
【００３０】
そして、原稿搬送押え部５０を開いた状態で、プラテンガラス３６上に原稿を載置及び除去可能になる。また、原稿搬送押え部５０を閉じた状態で、プラテンガラス３６上の原稿を一定位置に押え込み可能になる。さらに、原稿搬送押え部５０を閉じた状態で、自動原稿搬送装置５５がコンタクトガラス３４に接触するように原稿を搬送する。
【００３１】
＜２．カバーの取付部構造について＞
上記原稿読取筐体部３２は、機器本体としての筐体本体部４０の周囲四方を樹脂カバー７０で覆った構成とされている。つまり、筐体本体部４０は、金属板等を屈曲加工することにより筺状に形成されている。このような筐体本体部４０の外周部には、金属板のエッジや屈曲加工部分、孔加工部分等が露出しており、意匠上及び機器保護上好ましくない。そこで、このような筐体本体部４０を樹脂カバー７０で覆っている。
【００３２】
ここでは、筐体本体部４０の前面（操作パネル６０側の面）を樹脂カバー７０で覆う構成に着目して説明する。
【００３３】
図２は原稿読取筐体部を部分的に分解した状態を示す斜視図である。すなわち、原稿読取筐体部３２は、金属板等で形成された略ボックス状の筐体本体部４０の前部に、樹脂カバー７０及び操作パネル６０が取付けられた構成とされている。
【００３４】
筐体本体部４０の前面にはカバー取付板４２が取付けられている。カバーとしての樹脂カバー７０は、パネル取付用開口部７０ｈを有しており、筐体本体部４０の前面のうち操作パネル６０が取付けられる部分（パネル取付用開口部７０ｈに対応する部分）を除く部分を覆う形状に形成されている。この樹脂カバー７０の内面には、第１の係合部８０、第２の係合部９０及び第３の係合部１００が取付けられている。また、操作パネル６０は、２分割構成された上パネルカバー部６６と下パネルカバー部６８とを有している。なお、操作パネル６０内部の基板については図示省略する。そして、樹脂カバー７０と下パネルカバー部６８とがネジ止や係合構造等によって一体化された状態で、上記第１の係合部８０、第２の係合部９０及び第３の係合部１００をカバー取付板４２に係合させることで、樹脂カバー７０及び下パネルカバー部６８が筐体本体部４０の前面に取付けられる。また、この後、下パネルカバー部６８上に上パネルカバー部６６が取付けられるようになっている。
【００３５】
各部構成についてより詳細に説明する。
【００３６】
図３はカバー取付板を示す正面図である。図２及び図３に示すように、カバー取付板４２は、例えば、金属板を打抜き屈曲加工することで形成された部材であり、筐体本体部４０の前部左右方向に沿って延びる長尺板形状のカバー取付板本体部４４と、当該カバー取付板本体部４４の下縁部に略直角に屈曲して延びるカバー取付板取付部４３とを有している。そして、本カバー取付板取付部４３を筐体本体部４０の下部にネジ止等で固定することで、筐体本体部４０の前部から間隔をあけた位置にカバー取付板本体部４４を配設した姿勢で、本カバー取付板４２が筐体本体部４０に取付固定される。
【００３７】
上記カバー取付板本体部４４は、第１の被係合部４６、第２の被係合部４７及び第３の被係合部４８を有しており、それぞれ第１の係合部８０、第２の係合部９０及び第３の係合部１００が係合可能とされている。以下では各係合の組合わせ毎に構成を説明する。
【００３８】
図４は第１の係合部を示す斜視図である。図２〜図４を参照して、第１の被係合部４６と第１の係合部８０との係合構成について説明する。
【００３９】
カバー取付板本体部４４の中間部上縁部は、第１の被係合部４６に形成されている。この第１の被係合部４６は、カバー取付板本体部４４の長手方向、即ち、筐体本体部４０の前部左右方向に沿って延びる略直線状の縁部に形成されている。
【００４０】
第１の係合部８０は、上記第１の被係合部４６に対して前記延在方向、即ち、筐体本体部４０の前部の左右方向（第１の方向Ｐという）に沿って移動自在に係合可能に構成されている。より具体的には、第１の係合部８０は、金属板を打抜き屈曲加工することで形成された部材であり、長尺片状の本体片８２の下縁部の一部に固定片８４が設けられると共に、本体片８２の一端部に係合片８６が設けられた構成とされている。固定片８４はネジ止孔８４ｈを有しており、ネジ止によって上記下パネルカバー部６８の内周部に固定される。つまり、本第１の係合部８０は下パネルカバー部６８を介して樹脂カバー７０に取付けられる構成である。勿論、第１の係合部８０は樹脂カバー７０に直接固定されていてもよい。また、第１の係合部８０は、ネジ止の他、リベットや接着、溶着等で固定されていてもよい。係合片８６は、下向きに開口する側面視略Ｕ字状の爪部８６ａを有しており、当該爪部８６ａは上記第１の被係合部４６に上方から係合可能に構成されている。
【００４１】
そして、第１の係合部８０の爪部８６ａを第１の被係合部４６に上方から係合させることで、当該第１の係合部８０が第１の被係合部４６に前記第１の方向Ｐに沿って移動自在に係合する。
【００４２】
なお、これら第１の係合部８０の爪部８６ａと第１の被係合部４６とは、樹脂カバー７０のパネル取付用開口部７０ｈに対応する位置、即ち、樹脂カバー７０を筐体本体部４０に取付ける際に、外部から目視可能な位置に設けられている。従って、第１の係合部８０の爪部８６ａと第１の被係合部４６とは、作業者が目視で確認しつつ、それらの係合作業や係合状態の確認等を行える。
【００４３】
また、本実施形態では、これらの第１の係合部８０と第１の被係合部４６とは、それぞれ２つ設けられている。
【００４４】
図５及び図６は第２の係合部を示す斜視図である。図２、図３、図５及び図６を参照して、第２の係合部９０及び第２の被係合部４７との係合構成について説明する。
【００４５】
カバー取付板本体部４４の一端部（図２及び図３の左端部）には、第２の被係合部４７が形成されている。第２の被係合部４７は、第２の係合部９０に対応する幅で凹む凹状に形成されている。第２の被係合部４７の奥側の辺は上記第１の方向Ｐに対して略垂直な方向に延びる係合辺４７ａに形成されている。また、第２の被係合部４７の両側辺は、カバー取付板本体部４４の一端部の外方に向けて拡開するように傾斜する傾斜辺４７ｂに形成されている。
【００４６】
また、第２の係合部９０は、上記第１の係合部８０と第１の被係合部４６とを係合させつつ樹脂カバー７０を第１の方向Ｐに沿って移動させることで、前記第２の被係合部４７に係合可能に形成されている。
【００４７】
より具体的には、第２の係合部９０は、金属板を打抜き屈曲加工することで形成された部材であり、上下方向に沿って延びる長尺板状の本体片９２と、本体片９２の名手方向中間部の一側部に形成された係合片９４と、本体片９２の上端部に設けられたネジ止固定片９６とを有している。本体片９２は、ネジ止孔９２ｈを有しており、上記樹脂カバー７０の一端部内面にネジ止によって固定される。なお、ネジ止の他、リベットや接着、溶着等で固定されていてもよい。係合片９４は、内向きに開口する平面視略Ｕ字状の爪部９４ａを有しており、上記第２の被係合部４７にカバー取付板本体部４４の一端部の外方向から係合可能に構成されている。ネジ止固定片９６は、本体片９２の上端部から略水平姿勢で筐体本体部４０側に向けて延びる片状に形成されている。このネジ止固定片９６には、ネジ止用孔９６ｈが形成されている。このネジ止固定片９６を介した固定構造については後述する。
【００４８】
そして、第２の係合部９０を第２の被係合部４７の外方に配設するようにして、第１の係合部８０を第１の被係合部４６に係合させる。この後、第１の係合部８０と第１の被係合部４６とを係合させつつ、樹脂カバー７０を第１の方向Ｐに沿って移動させ、第２の係合部９０をカバー取付板本体部４４の一端部外方から内方へ向けて移動させる。すると、前記両傾斜辺４７ｂが第２の係合部９０の両側部に当接して第２の係合部９０を係合辺４７ａに向けて案内する。そして、樹脂カバー７０を第１の方向Ｐに沿って前記向きで強く押込むと、第２の係合部９０の係合片９４が第２の被係合部４７の係合辺４７ａに係合する。また、この状態で、第２の係合部９０の係合片９４の両側部は、前記両傾斜辺４７ｂの奥部にも当接し、これにより、第２の係合部９０は、第２の被係合部４７に対し第１の方向Ｐと略直交する方向でも位置決め係合することになる。
【００４９】
なお、これらの第２の係合部９０と第２の被係合部４７とは、樹脂カバー７０によって覆われる位置、即ち、樹脂カバー７０を筐体本体部４０に取付ける際に、外部から目視不能な位置に設けられている。
【００５０】
図７は第３の係合部を示す斜視図である。図２、図３及び図７を参照して第３の被係合部４８と第３の係合部１００との係合構成について説明する。
【００５１】
カバー取付板本体部４４の他端部には、略方形状孔４４ｈが形成されており、この略方形状孔４４ｈの下縁部が第３の被係合部４８に形成されている。第３の被係合部４８は、カバー取付板本体部４４の長手方向、即ち、上記第１の方向Ｐに沿って延びる略直線状の縁部に形成されている。
【００５２】
第３の係合部１００は、上記第３の被係合部４８に対して上記第１の方向Ｐに沿って移動自在に係合可能に構成されている。より具体的には、第３の係合部１００は、金属板を打抜き屈曲加工することにより形成された部材であり、略方形板上の本体片１０２の一側部に固定片１０４が設けられると共に、本体片１０２の略中央部に係合片１０６が設けられた構成とされている。固定片１０４はネジ止孔１０４ｈを有しており、ネジ止によって樹脂カバー７０の他端部の内側部分に固定される。勿論、第３の係合部１００は、ネジ止の他、リベットや接着、溶着等で固定されていてもよい。係合片１０６は、下向きに開口する側面視略Ｕ字状の爪部１０６ａを有しており、当該爪部１０６ａは上記第３の被係合部４８に上方から係合可能に構成されている。
【００５３】
そして、第３の係合部１００の爪部１０６ａを略方形状孔４４ｈ内に配設して第３の被係合部４８に上方から係合させることで、当該第３の係合部１００が第３の被係合部４８に前記第１の方向Ｐに沿って移動自在に係合する。
【００５４】
なお、これら第３の係合部１００と第３の被係合部４８とは、樹脂カバー７０によって覆われる位置、即ち、樹脂カバー７０を筐体本体部４０に取付ける際に、外部から目視不能な位置に設けられている。
【００５５】
本樹脂カバー７０を筐体本体部４０に取付ける手順について説明する。
【００５６】
まず、筐体本体部４０にカバー取付板４２を取付けたものを準備すると共に、樹脂カバー７０と下パネルカバー部６８とを一体化しこれに第１の係合部８０，第２の係合部９０及び第３の係合部１００を固定したものを準備する。
【００５７】
図８は、カバー取付板を裏面側から見た状態で各部の係合状態を示す図である。同図に示すように、樹脂カバー７０を筐体本体部４０の前方に配設して、第２の係合部９０を第２の被係合部４７の外方に配設するようにしつつ、第１の係合部８０を第１の被係合部４６に上方から係合させると共に、第３の係合部１００を略方形状孔４４ｈ内に配設して第３の被係合部４８に上方から係合させる。この際、第１の係合部８０と第１の被係合部４６についてはパネル取付用開口部７０ｈを通じて目視しつつそれらを容易に係合させることができる。第１の係合部８０と第１の被係合部４６との相対的な位置関係によって、第２の係合部９０と第２の被係合部４７との相対的な位置関係及び第３の係合部１００と第３の被係合部４８との相対的位置関係を推測できるから、第２の係合部９０を第２の被係合部４７の外側方に配設すること及び第３の係合部１００と第３の被係合部４８とを係合させることも比較的容易である。なお、第１の係合部８０と第１の被係合部４６との相対的な位置関係を明確に把握できるように、それらに何らかの目印となるものが存在していることが好ましい。
【００５８】
この後、第１の係合部８０と第１の被係合部４６との係合状態、第２の係合部９０と第２の被係合部４７との係合状態を維持しつつ、樹脂カバー７０を第１の方向Ｐに沿って第３の係合部１００と第３の被係合部４８とを近接させる向きに移動させる。これにより、第１の係合部８０，第２の係合部９０，第３の係合部１００がそれぞれＰ１，Ｐ２，Ｐ３向きに移動する。すると、第１の係合部８０と第１の被係合部４６との係合状態、第２の係合部９０と第２の被係合部４７との係合状態がそれぞれ維持されたままで、第３の係合部１００と第３の被係合部４８とが係合し、カバー取付板４２に対して樹脂カバー７０が第１の方向Ｐに沿ったＰ２向き及び上下方向に位置決めされる。
【００５９】
なお、樹脂カバー７０が取付けられた状態で、下パネルカバー部６８上には上パネルカバー部６６がネジ止や係合構造等を利用して取付けられる。
【００６０】
図９は上記第２の係合部のネジ止固定片を筐体本体部にネジ止固定する構成を示す斜視図であり、図１０は同上の斜視図の部分断面図である。
【００６１】
つまり、上記のように樹脂カバー７０が筐体本体部４０に取付された状態で、筐体本体部４０の前部両側面及び上面を覆うようにカバー７６が取付けられる。このカバー７６自体は、他のネジ止構造や係合構造等を利用して筐体本体部４０に固定され、当該筐体本体部４０の一構成部材となる。
【００６２】
上記ネジ止固定片９６は、第１の係合部９０の係合部分となる爪部９４ａよりも樹脂カバー７０の外周よりに位置（ここでは、一端部の上端部よりの位置）すると共に、樹脂カバー７０よりも筐体本体部４０側に延出している。そして、このネジ止固定片９６が、カバー７６の下面に重ね合せるように配設されるようになっている。一方、上記カバー７６のうちネジ止固定片９６と重なり合う位置には、ネジ止孔７７ｈを有するネジ止被固定部７７が形成されている。
【００６３】
そして、それらが重なり合う状態で、ネジＳをネジ止孔７７ｈに挿通させてネジ止用孔９６ｈに螺合させることで両者がネジ止固定され、樹脂カバー７０が本ネジ止によっても筐体本体部４０に固定されることになる。
【００６４】
なお、上記ネジＳによる固定部分は、閉じられた原稿搬送押え部５０によって覆われる位置に設けられている。
【００６５】
このように構成された樹脂カバー７０の取付部構造によると、第１の係合部８０と第１の被係合部４６とを係合させた状態で、その係合の案内に従って樹脂カバー７０を第１の方向Ｐに沿って移動させることで、第２の係合部９０と第２の被係合部４８とを係合させることができる。従って、ネジ止による取付部分をなるべく少なくしつつ、樹脂カバー７０を容易に取付けることができる。なお、ネジ止固定片９６は第２の係合部９０とは別体に形成されていてもよい。もっとも、ネジ止固定片９６を第２の係合部９０に一体化した構成とすることで、構成の簡易化及び組立の容易化を図ることができる。
【００６６】
なお、本構成は、外部から目視できるネジ止の利用を排除するものではない。あくまで、ネジ止による取付部分をなるべく少なくできるという点で利点がある。つまり、本実施形態のように、他の部分でネジＳを利用した固定がなされていてもよい。
【００６７】
また、上記第１の係合部８０及び第１の被係合部４６は、樹脂カバー７０を筐体本体部４０に取付ける際に、外部から目視可能な位置に設けられているため、これらを目視しつつ係合させることができるので、樹脂カバー７０をより容易に取付けることができる。しかも、樹脂カバー７０のパネル取付用開口部７０ｈは、上パネルカバー部６６の取付により最終的には見えなくなるので、この点からも意匠性に優れる。
【００６８】
また、同時に、外部から目視不能な位置でも、第２の係合部９０と第２の被係合部４７とを係合させることができるので、樹脂カバー７０をしっかりと機器本体に取付けつつ意匠性の向上を図ることができる。
【００６９】
また、第２の係合部９０及び第２の被係合部４７は、樹脂カバー７０の第１の方向Ｐに沿った移動により係合した状態で、第１の方向Ｐと略直交する上下方向でも係合するため、樹脂カバー７０をよりしっかりと取付けることができる。
【００７０】
さらに、樹脂カバー７０に第２の係合部９０の係合片９４よりも樹脂カバー７０の外周よりに位置してネジ止固定片９６が設けられると共に、筐体本体部４０にネジ止固定片９６に対応するネジ止被固定部７７が設けられており、これらがネジＳで固定される。このため、樹脂カバー７０をよりしっかりと固定することができる。また、樹脂カバー７０の外周部でネジＳにより固定するため、例えば、樹脂カバー７０の中央部でネジ止するより意匠性を損い難い。また、樹脂カバー７０の外周に近い位置でネジ止するため、樹脂カバー７０ががたつき、ぐらつきを有効に防止できる。しかも、ネジＳによる固定部分は、閉じられた原稿搬送押え部５０によって覆われる位置であるため、より一層意匠性を損い難い構成である。
【００７１】
なお、本実施形態では、第３の係合部１００を第３の被係合部４８に係合させる構成としたが、これらについては省略してもよい。
【００７２】
また、第１の被係合部４６，第２の被係合部４７及び第３の被係合部４８は、単一のカバー取付板４２に形成されている必要はなく、筐体本体部４０に直接又は間接的に一体取付けされた別部材に形成されていてもよい。
【００７３】
また、本実施形態ではデジタル複合機の例で説明したが、その他、ＦＡＸ機やコピー機、印刷機等、諸電気機器等の機器本体にカバーを取付ける構成に適用可能である。
【図面の簡単な説明】
【００７４】
【図１】実施形態に係るデジタル複合機の全体構成を示す斜視図である。
【図２】原稿読取筐体部を部分的に分解した状態を示す斜視図である。
【図３】カバー取付板を示す正面図である。
【図４】第１の係合部を示す斜視図である。
【図５】第２の係合部を示す斜視図である。
【図６】第２の係合部を示す斜視図である。
【図７】第３の係合部を示す斜視図である。
【図８】カバー取付板を裏面側から見た状態で各部の係合状態を示す図である。
【図９】第２の係合部のネジ止固定片を筐体本体部にネジ止固定する構成を示す斜視図である。
【図１０】図９の部分断面図である。
【符号の説明】
【００７５】
４０  筐体本体部
４２  カバー取付板
４６  第１の被係合部
４７  第２の被係合部
４７ａ  係合辺
４７ｂ  傾斜辺
６０  操作パネル
６６  上パネルカバー部
６８  下パネルカバー部
７０  樹脂カバー
７０ｈ  パネル取付用開口部
７７  ネジ止被固定部
７７ｈ  ネジ止孔
８０  第１の係合部
８６ａ  爪部
９０  第２の係合部
９４ａ  爪部
９６  ネジ止固定片
９６ｈ  ネジ止用孔
Ｐ  第１の方向
Ｓ  ネジ
【図１】
2008098895.tif 000003
【図２】
2008098895.tif 000004
【図３】
2008098895.tif 000005
【図４】
2008098895.tif 000006
【図５】
2008098895.tif 000007
【図６】
2008098895.tif 000008
【図７】
2008098895.tif 000009
【図８】
2008098895.tif 000010
【図９】
2008098895.tif 000011
【図１０】
2008098895.tif 000012